(57)【特許請求の範囲】
【請求項１】
複数の支柱とこれらの支柱を連結する横架材とからなる骨組に保持されるパネルの取付構造において、
前記骨組の少なくとも片側に、横方向に適宜間隔をおいて縦方向に設けられた複数の支持部材と、
前記支持部材の上側から縦方向に差し込むことによって、前記支持部材に取り付けられるパネルとを、具備し、
前記パネルは、上下方向に複数枚に分割して差し込まれるように構成された、
ことを特徴とするパネルの取付構造。
【請求項２】
複数の支柱とこれらの支柱を連結する横架材とからなる骨組に保持されるパネルの取付構造において、
前記骨組の少なくとも片側に、横方向に適宜間隔をおいて縦方向に設けられた複数の支持部材と、
前記支持部材の上側から縦方向に差し込むことによって、前記支持部材に取り付けられるパネルとを、具備し、
前記パネルは、前記支持部材に対し縦方向にスライド可能な係合部を備え、
前記係合部は、前記パネルの正面の表面に露出しない位置に設けられた、
ことを特徴とするパネルの取付構造。
【請求項３】
前記係合部は、前記パネルの両側辺部の端面と背面とで形成される出隅部に沿って設けた切欠部に位置する、
ことを特徴とする請求項２に記載のパネルの取付構造。
【請求項４】
前記係合部は、アルミニウムの押出型材からなり、前記パネルに固定されている、
ことを特徴とする請求項２又は３に記載のパネルの取付構造。
【請求項５】
前記パネルは、上方向に引き抜いて、前記支持部材から取り外し可能に構成されている、
ことを特徴とする請求項１〜４のいずれかに記載のパネルの取付構造。
【請求項６】
前記パネルの係合部と前記支持部材との間に、パネルの差込み及び引抜きを容易にするクリアランスを設け、パネルを支持部材に差し込み、所定の位置に配設した後で、パネルの係合部を支持部材に押圧状態に保持する、
ことを特徴とする請求項５に記載のパネルの取付構造。
【請求項７】
前記パネルは、手摺の腰壁部を形成する腰壁パネル部である、
ことを特徴とする請求項１〜６のいずれかに記載のパネルの取付構造。
【請求項８】
請求項７に記載のパネルの取付構造を有する手摺構造であって、
正面から見て前記腰壁パネル部が位置しない骨組の面内に、格子手摺部を形成することにより、
腰壁パネル部と、格子手摺部とを組み合わせて構成した、
ことを特徴とする手摺構造。
【発明の詳細な説明】
【０００１】
【発明の属する技術分野】
本発明は、パネルの取付構造及び手摺構造に関する。
【０００２】
【従来の技術】
集合住宅等の建物では、タイル張りされた外壁に合わせて、タイル張りされた腰壁の手摺をバルコニーや共用廊下の片持ち構造の床スラブと一体的に設けることが行われている。タイル張りされた腰壁の手摺は、見栄えがよく、重厚で高級感ある佇まいを呈する。図６は、そのような手摺の従来例を示す側断面図である。片持ち構造のバルコニーの床スラブ７０の先端に、タイル７１が張られた腰壁の手摺７２が立設されている。符号７３はコンクリート打継ぎ面、符号７４は排水溝、符号７５は梁を示す。
【０００３】
しかし、上記手摺、床スラブ７０は、従来、現場打ち鉄筋コンクリート造で構築されることが多いが、その施工は大掛かりで多数の工程を必要とする。すなわち、従来の工法（湿式工法）では、床スラブ７０のコンクリートを打設した後で、手摺のコンクリートを打設する作業手順をとるので、施工現場では、複数の作業が錯綜し、施工工期が長くなる。すなわち、鉄筋及び型枠を組み立てた後、コンクリートを打設して腰壁を形成し、コンクリートが硬化した後、型枠を解体し、型枠等の残材を搬出し、適宜補修を施した後、表面にタイルを張り付ける、といった工程を要する。コンクリート打設のためには、コンクリートのポンプ車が必要であるし、外部足場も必要である。
また、このような手摺は、手摺の自重が床スラブの先端に集中荷重として加わる、片持ち梁構造となるので、重い手摺の自重に耐えるよう床スラブの付け根のスラブ厚（ｔ２）を厚くしなければならない。床スラブの先端に重い腰壁の重量がかかるため、スラブの配筋量及びコンクリートの使用量が増えるし、スラブの付け根にクラックが発生しやすい。
さらに、そのメンテナンスについてみれば、部分的にタイルが剥がれた場合、仮設足場又はゴンドラ等を設置した上で補修工事を行うことになり、タイル表面が汚れた場合、外部足場を組んで水洗いをすることになる。
【０００４】
一方、タイル張りされたパネルを用いて腰壁を形成する手摺について、いくつかの乾式工法の提案がなされつつあるものの、一般にタイル張りされたパネルはコンクリート製であるため重く運搬しにくく、また、その取付けもボルトナットあるいはビス等を用いる方式のため、簡単とはいえず作業が大変であるという問題点がある。
【０００５】
また、パネルを用いたバルコニー等の手摺において、多くの提案がなされている。例えば、特開平１０−２６６５１２公報に記載の手摺には、上スライド枠と下スライド枠とからなるスライド枠を、屋外床の周縁に沿って、連続して形成した手摺が開示されており、同手摺では、スライド枠の長手方向の形状が平面視で不連続となるような角部を設け、この角部をパネル挿入口としている。この手摺では、スライド枠にパネルを差し込んでスライドさせるため、パネルの取付けが容易であるという利点を有する。しかし、スライド枠の角部のパネル挿入口からパネルを順次差し込むため、外部足場が必要であるとともに、重量の重いパネルでは押し込みが大変であり、そのようなパネルを用いるのに適したものとはいいがたい。また、奥に入れた一部のパネルを交換する場合、手前のパネルをも全部引き出さなければならない。
【０００６】
【発明が解決しようとする課題】
本発明は、上記の従来技術における不都合を解消すべくなされたもので、パネルの取付構造、特に建物のバルコニーや共用廊下等の床構造体に腰壁パネル部を形成した手摺構造に関し、施工、現場作業を簡単かつ確実に行うことができ、かつパネルの交換を容易に行うことができるようにすること、また運搬を容易にすること、さらに格子部（格子手摺部等）との組み合わせ配置を自由に行うことができるようにすること等を目的とする。
【０００７】
【課題を解決するための手段】
〔請求項１に係る発明〕  複数の支柱とこれらの支柱を連結する横架材とからなる骨組に保持されるパネルの取付構造において、
前記骨組の少なくとも片側に、横方向に適宜間隔をおいて縦方向に設けられた複数の支持部材と、
前記支持部材の上側から縦方向に差し込むことによって、前記支持部材に取り付けられるパネルとを、具備し、
前記パネルは、上下方向に複数枚に分割して差し込まれるように構成された、
ことを特徴とするパネルの取付構造である。
【０００８】
（作用効果）  パネルを支持部材に骨組の上側から差し込んで取り付けるので、パネルの取付けは、いたって簡単かつ確実であり、迅速に行うことができる。また、骨組の構成面とパネル構成の面とは重ならずに、骨組の少なくとも片側にパネルが張り出して位置することになるため、パネル部分が浮き出て優れた立体感を呈する。
骨組の片側には、必ずしも横方向全域にわたってパネルを設ける必要はなく、必要な場所に支持部材及びパネルを設ければよく、骨組に形成し得る格子部等との組み合わせ配置を自由に行うこともできる。
施工性の良い、施工工期を短縮する、乾式組立て工法を提供する。
【０００９】
１枚当たりのパネルの重量を大幅に軽減することができ、運搬や取付け等の作業性を格段に向上させることができる。また、部分的なパネル交換もより小さい単位で行うことができるので、コストの低廉化が可能である。しかも、支持部材の数を増やす必要がない。１枚のパネルの高さ（縦方向）が小さくなるので、支持部材にパネルを差し込む（落し込む）際に、作業員がパネルを持ち上げることが容易になり、作業性が向上する。
【００１０】
〔請求項２に係る発明〕  複数の支柱とこれらの支柱を連結する横架材とからなる骨組に保持されるパネルの取付構造において、
前記骨組の少なくとも片側に、横方向に適宜間隔をおいて縦方向に設けられた複数の支持部材と、
前記支持部材の上側から縦方向に差し込むことによって、前記支持部材に取り付けられるパネルとを、具備し、
前記パネルは、前記支持部材に対し縦方向にスライド可能な係合部を備え、
前記係合部は、前記パネルの正面の表面に露出しない位置に設けられた、
ことを特徴とするパネルの取付構造である。
パネルの係合部は、支持部材に対し縦方向にスライド可能なものであり、支持部材に係合して支持部材に支持されるものである。
【００１１】
（作用効果）  上記構成により、パネルを支持部材にスムーズかつ確実に差し込んで取り付けることができる。
係合部は、パネルの正面の表面に露出しない位置に設けられているため、パネル同士の縦方向の目地が目立たない。このため、パネルの正面の美観が損なわれることがなく、見栄えがよい状態にパネルを取り付けることができる。
【００１２】
〔請求項３に係る発明〕  前記係合部は、前記パネルの両側辺部の端面と背面とで形成される出隅部に沿って設けた切欠部に位置する、
ことを特徴とする請求項２に記載のパネルの取付構造である。
【００１３】
（作用効果）  係合部は、前記パネルの両側辺部の端面と背面とで形成される出隅部に沿って設けた切欠部に位置するため、パネルの両側辺部の端面（木端）及び背面に突出しない。したがって、輸送、運搬等の際に邪魔にならず、パネルも損傷もしにくい。パネルの断面厚さを薄くすることができるので、パネルを軽量化することができる。
【００１４】
〔請求項４に係る発明〕  前記係合部は、アルミニウムの押出型材からなり、前記パネルに固定されている、
ことを特徴とする請求項２又は３に記載のパネルの取付構造である。
【００１５】
（作用効果）  係合部は、アルミニウムの押出型材からなるため、係合部の製造及びパネルの製作が簡単であり、コストも低廉である。パネルの支持部材への取付けも確実に行われる。
【００１６】
〔請求項５に係る発明〕  前記パネルは、上方向に引き抜いて、前記支持部材から取り外し可能に構成されている、
ことを特徴とする請求項１〜４のいずれかに記載のパネルの取付構造である。
【００１７】
（作用効果）  パネルは、上方向に引き抜いて、前記支持部材から取り外し可能に構成されているため、パネルを交換する際は、取付け時とは逆にパネルを上方に引き抜けばよいので、いたって簡単かつ確実であり、迅速に行うことができる。部分的なパネルの交換やリニューアル（模様替え）も楽に行える。
【００１８】
〔請求項６に係る発明〕  前記パネルの係合部と前記支持部材との間に、パネルの差込み及び引抜きを容易にするクリアランスを設け、パネルを支持部材に差し込み、所定の位置に配設した後で、パネルの係合部を支持部材に押圧状態に保持する、
ことを特徴とする請求項５に記載のパネルの取付構造である。
【００１９】
（作用効果）  パネルの係合部と前記支持部材との間に、パネルの差込み及び引抜きを容易にするクリアランスを設けたため、パネルの差込み及び引抜きがきわめてスムースに行われ、作業がしやすい。パネルを支持部材に差し込み、所定の位置に配設した後で、パネルの係合部を支持部材に押圧状態に保持するため、パネルは支持部材に確実に保持され、がたつきを生じることがない。面倒なビス等による締結固定をしなくてもよい。パネルを取り付けた完成後でも、パネルの縦方向の拘束を解除することによって、パネルを容易に引き抜くことができるので、点検、修理も楽に行える。
【００２０】
〔請求項７に係る発明〕  前記パネルは、手摺の腰壁部を形成する腰壁パネル部である、
ことを特徴とする請求項１〜６のいずれかに記載のパネルの取付構造である。
【００２１】
（作用効果）  上記構成により、従来の手摺に比べ、手摺の腰壁部を形成するパネルの取付けは、いたって簡単かつ確実であり、迅速に行うことができる。
外部足場を設けずに屋外床内部から取付け、交換作業を行うことも可能であるため、特に中・高層の建物における作業性が飛躍的に向上する。手摺の構造性能や交換等のメンテナンス性も優れている。軽量化により、床スラブの屋外側先端にかかる腰壁部の重量が軽減し、スラブの配筋量及びコンクリートの使用量を減らすことができ、スラブの付け根等にもクラックが発生しにくい。屋外床断面が一定となるため、温度変化による収縮クラックも発生しにくい。特別な仮設がなくても、パネルのリフォームや交換が可能であり、しかもパネル単位で行うことができ、その作業も簡単である。従来技術の項で述べた従来の工法における不利を悉く解消することができるものである。
また、骨組の構成面とパネル構成の面とは重ならずに、骨組の片側に、少なくともパネルの厚さ分、パネルが張り出して位置するため、パネル部分が浮き出た態様となり、立体感に富むパネル部分を形成することができる。
骨組の外側には、必ずしも横方向全域にわたってパネルを設ける必要はなく、必要な場所に支持部材及びパネルを設ければよく、骨組に形成し得る格子部（格子手摺部）との組み合わせ配置を自由に行うこともできる。
色やデザイン等の外観が異なるパネルを混成配置することもできる。
【００２２】
〔請求項８に係る発明〕  請求項７に記載のパネルの取付構造を有する手摺構造であって、
正面から見て前記腰壁パネル部が位置しない骨組の面内に、格子手摺部を形成することにより、
腰壁パネル部と、格子手摺部とを組み合わせて構成した、
ことを特徴とする手摺構造である。
【００２３】
（作用効果）  上記構成により、腰壁パネル部と、格子手摺部とを組み合わせて構成した手摺が、簡単に得られる。その施工は簡単で作業性に優れ、外観も優れている。
【００２４】
〔その他〕 パネルを、人力で運搬可能な重量及び大きさとすることにより、持ち運びや取付け作業がきわめて簡単に行われる。人力で運搬可能な重量及び大きさとすることにより、一個あたりの大きさが小さくなってパネル点数が増えても、取付けが楽なので、作業労力の増大を抑えられる。床スラブなどの構造躯体のコンクリートを打設した後で、いつでも人力でパネルを取り付けられので、躯体施工手順を合理化することができる。
【００２５】
前記パネルは、繊維補強コンクリート、繊維セメント、コンクリート、金属、合成樹脂、ガラスなどの板体で構成されているものとすることにより、上記のような板体の取付けにおいて特にその作業性が良好となる。多種多様な板体（面材）を使用することができる。同じパネルに、複数の材質の板体を組み合わせても良い。
【００２６】
前記パネルは、表面にタイルを張りつけたＧＲＣの板体からなるものとすることができる。
パネルは、表面にタイルを張りつけたＧＲＣ（Ｇｌａｓｓ  ｆｉｂｅｒ  Ｒｅｉｎｆｏｒｃｅｄ  Ｃｏｎｃｒｅｔｅ：ガラス繊維補強コンクリート）製の板体（ＧＲＣパネル）からなるため、従来の湿式工法による腰壁等と同様に重厚かつ美麗な外観を形成することができるとともに充分な強度を有する。また、従来の湿式工法による腰壁（鉄筋コンクリート）やパネルに比べ、薄肉成形により軽量化が可能なため、運搬や取付け作業をより楽に行うことができる。
ＧＲＣパネルであるため、人力で運搬可能な重量及び大きさとすることによっても、パネルが小さくなりすぎることがなく、持ち運びや取付け作業が格段に簡単に行われる。
【００２７】
【発明の実施の形態】
図１は本発明のパネルの取付構造及び手摺構造を用いた手摺の一例を示す斜視図、図２は図１の手摺の平面図、図３は図１の手摺の縦断面図である。
【００２８】
図１は、本発明のパネルの取付構造及び手摺構造を、屋外床（本例ではバルコニー）の長手方向となる正面部に位置する手摺に適用した例を示す。
図１〜３に示すとおり、建物の屋外床（床スラブ）４０の縁に位置する骨組１０は、複数の支柱１１とこれらの支柱１１同士を連結する横架材とからなり、手摺本体を構成している。骨組１０の外側に、横方向に適宜間隔をおいて複数の支持部材２０，２０が設けられている。支持部材２０，２０は縦方向に設けられている。パネル３０は、支持部材２０，２０を介して骨組１０に保持される。パネル３０は、支持部材２０，２０に支持部材２０，２０及び骨組１０の上側から差込み及び引抜き可能に取り付けられ、支持される。
【００２９】
支柱１１は、建物の屋外床４０の縁に適宜間隔をおいて立設されている。支柱１１は、通常アルミニウム等の金属製材料で構成されるが、特に限定されるものではない。また、立設手段は何ら限定されない。本例では支柱１１の下端部を屋外床内に埋設固定した態様としている。支柱１１同士を連結する横架材は、手摺笠木１２あるいは横桟１３等により形成し得る。手摺笠木１２は、支柱１１の上端部に固定されている。手摺笠木１２の下に、支柱１１同士を連結する横桟１３，１３が複数本設けられている。手摺笠木１２及び横桟１３，１３は、通常、アルミニウム等の材料で構成され、中空の筒状をなすが、特に限定されるものではない。なお、手摺笠木１２は、支柱１１に固定されるベース部１２ａと、このベース部１２ａに上から取り付けられる略断面コ字状（Ｃ字状）をなす上部手摺部１２ｂとから構成されている。
【００３０】
支持部材２０は、骨組１０よりも外側に張り出すように設けられている。支持部材２０は、通常、支柱１１あるいは横桟１３に固定される。支持部材２０は、支柱１１と一体的に形成されたものであってもよい。図１に示す例では、支持部材２０は、支柱１１，１１及び支柱１１，１１間において横桟１３，１３にそれぞれ固定されており、支柱１１，１１間において、パネルが２列配置されるようにしている。支柱１１，１１間において、パネルが１列又は３列以上配置されるようにしてもよい。
【００３１】
支持部材２０は、骨組１０（支柱１１あるいは横桟１３等）へボルト、ビス等の適宜固定手段を用いて固定される固定部２１と、この固定部２１から外側に伸びる腕部２２と、腕部２２に連設されたガイド部２３とを有している。ガイド部２３が、後述するパネル３０の係合部３３と係合する。少なくともこのガイド部２３を、レール状に形成し、上下方向に連続させることにより、このガイド部２３が、パネル３０の差込み及び引抜きを容易にするための案内役となり、パネル３０の取付けがスムーズかつ確実に行われ、支持も確実となる。支持部材２０は、アルミニウムの押出型材により構成し得る。
【００３２】
パネル３０は、繊維補強コンクリートのパネル、好ましくはＧＲＣパネルで構成し、人力で運搬可能な重量及び大きさに形成する。その一枚の大きさは、通常、縦４００〜８００ｍｍ×横６００〜３００ｍｍ程度、その重量は通常、２５ｋｇ以内、好ましくは１５ｋｇ以内である。この程度の重量及び大きさであれば、人力、しかも一人の人力で容易に運搬及び取付け（差込み及び引抜き）が可能である。一例として、タイルを張りつけたＧＲＣパネルで縦４６０ｍｍ×横６００ｍｍの大きさ、１２ｋｇの重量程度のものが挙げられる。もっとも、治具を用いる場合、複数の作業者により取付け等を行う場合を前提とすれば、上記の大きさ、重量を超えるものであってもよい。ＧＲＣパネルは強度に優れ、通常のコンクリートパネルに比べて肉厚を薄くして軽量化が可能であるため、本発明のようなパネルの取付構造において、人力でパネルを差し込んで取り付ける場合に作業労力が大幅に軽減され有効である。しかも、パネルの枚数が増えても、従来のボルト等を用いた工法に比べて取付けが楽なので、作業負担はそれほど増大しない。なお、ＧＲＣパネルは、図２に示すとおり、パネル周縁部を、中央部の肉厚よりも厚く形成したものが好適に用いられる。
【００３３】
ＧＲＣパネルは、表面にタイル３１を張りつけたものとすることにより、タイル張りされた外壁に合わせた腰壁部を形成して、重厚かつ美麗な外観を形成することができる。なお、表面にタイルを張りつけたＧＲＣパネルは、ＧＲＣパネルの製作時に同時にタイルを打ち込むことにより製作することができる。これにより、現場でのタイル施工は不要となる。
【００３４】
パネル３０は、図１，３に明らかなとおり、上下方向に複数枚（複数段となるように）分割して差し込まれるように構成するとよい。これにより、１枚当たりのパネルの重量を大幅に軽減することができ、運搬や取付け等の作業性を格段に向上させることができる。また、部分的なパネル交換もより小さい単位で行うことができるので、コストの低廉化が可能である。しかも、支持部材の数を増やす必要がない。図１，３では、パネル３０を上下方向に２枚に分割した場合に説明したが、これに限定されず、３枚以上でもよい。上下方向を１枚のパネル３０で形成してもよいが、パネル３０の正面形状を、横幅の狭い縦長の長方形に形成し、軽量化を図るのが好適である。
【００３５】
パネル３０は、支持部材２０，２０の上側から縦方向に差し込むことによって、支持部材２０に取り付けられ、また、上方向に引き抜いて、支持部材２０，２０から取り外し可能に構成されている。
パネル３０は、支持部材２０に対しスライド可能な係合部３３を備えたものとするのが好ましい。この係合部３３は、例えば、アルミニウムの押出型材等により別部材として構成し、レール状となしたものを、上下方向に連続するように、パネル３０に固定する。係合部３３のパネル３０への固定は、パネルの製作後にビス等を用いて固定してもよいが、ＧＲＣパネルの製作時に、該パネルと一体的に打ち込んで固定することにより、製作が容易で、しかも強度に優れたものを得ることができる。
【００３６】
係合部３３は、パネル３０の正面の表面に露出しない位置に設けるのが好ましい。これにより、パネル３０の正面の美観が損なわれることがなく、見栄えがよい状態にパネルを取り付けることができる。例えば、パネル３０の両側辺部やパネルの背面に設ける。
【００３７】
図１〜３に示す例では、係合部３３は、パネル３０の両側辺部の端面と背面とで形成される出隅部に沿って設けた切欠部に位置し、該切欠部に納まっている。このため、パネル３０の両側辺部の端面（木端）及び背面に突出しない態様である。したがって、輸送、運搬等の際に邪魔にならず、パネルも損傷もしにくい。係合部３３は、ＧＲＣパネルの製作時に、該パネルと一体的に打ち込み固定することができ、そうするとパネル３０の製作もしやすい。
【００３８】
係合部３３は、前述した支持部材２０のガイド部２３が、差し込まれる（入り込む）態様で係合するよう凹部３４を有している。図２に示すとおり、係合部３３は、パネル３０の両側辺部の端面と背面とで形成される出隅部に沿って設けた切欠部（Ｌ字形）に適合するＬ字状部３３ａと、パネル３０の背面に沿う直線部３３ｂとによって、ほぼ断面ｈ形をなすように構成され、Ｌ字状部３３ａと直線部３３ｂとによって凹部３４を形成している。この凹部３４を支持部材２０のガイド部２３に合わせて、パネル３０を差し込み、取り付ける。
【００３９】
支持部材２０のガイド部２３と係合部３３の構成（係合態様）は、上記のものに限定されない。他の例を図４に示す。図４（ａ）（ｂ）に示す例では、係合部３３は、支持部材２０のガイド部２３が入り込む凹部３４を有して、ほぼＣ字状に形成され、パネル３０の背面に設けられている。図４（ａ）の係合部３３は、パネル３０の背面の表面部に固着され、図４（ｂ）の係合部３３は、パネル３０の背面に突出しないよう、パネル３０に埋設固定されている。
図４（ｃ）に示す例では、係合部３３は、支持部材２０のガイド部２３が入り込む凹部３４を有して、ほぼコ字状に形成され、パネル３０の両側辺部の端面（木端）に設けられている。また、該端面に突出しないよう、パネル３０に埋設固定されている。その他、支持部材２０のガイド部２３を凹状に形成し、係合部３３をガイド部２３に入り込む態様等で構成してもよい。
【００４０】
パネル３０の係合部３３と支持部材２０との間には、パネルの差込み及び引抜きを容易にするクリアランス（空間）を設け、パネル３０を係合部３３にて支持部材２０，２０に差し込み、所定の位置に配設した後で、パネル３０の係合部３３を支持部材２０に押圧状態に保持するのが好ましい。
図示の例では、係合部３３の凹部３４と支持部材２０のガイド部２３との間にクリアランスが形成されており、パネルの差込み及び引抜きがきわめてスムースに行われ、作業性を向上させる。
図２において、符号２５は、パネル３０を支持部材２０，２０に差し込んだ後、所定位置に保持するためのパネル押え（押圧保持手段）である。支持部材２０の固定部２１とパネル３０（係合部３３）との間隙に位置しており、支持部材２０のガイド部２３に対し、パネル３０の係合部３３を押圧状態に保持する。これにより、パネル３０は支持部材２０に確実に保持され、がたつきを生じることがない。パネル押え２５は、断面コ字状をなす部材等により構成し得るが、これに限定されるものではない。なお、パネル３０を所定位置に保持するため、ビス等を用いてパネル３０を支持部材２０に固定してもよい。
パネル３０を取付けた後、パネル３０の上辺部端面や、側辺部端面を覆う化粧カバーを施してもよい。
【００４１】
パネル３０の正面の表面は、図３に示すとおり、該パネル３０の直下に位置する屋外床４０の屋外側端面４１と、ほぼ面一の面上に位置させることができる。これにより、両者は接合等の工程を経ず別部材により構造的に分離しているにもかかわらず、従来の湿式工法による腰壁と比べて遜色のない、パネル３０と屋外床４０との一体感が得られ、重厚感・高級感が醸し出される。パネル３０とその直下に位置する屋外床４０の屋外側端面４１との間には若干の隙間が形成されていてもよい。このような隙間は、支持部材２０の下方端部に、パネル３０の底部が載るようなパネル受け部を設けることにより、形成することができる。
【００４２】
上述したパネル３０の取付構造を用いて構成した腰壁パネル部と、格子手摺部とを混成配置して屋外床等の手摺を構成することは、好ましい態様である。図５は、ＧＲＣパネルからなる腰壁パネル部Ａと、格子手摺部Ｂとを組み合わせて構成した手摺の例を示す。図５（ａ）は正面図、（ｂ）は側面図、（ｃ）は平面図である。
【００４３】
建物の屋外床（バルコニーの床スラブ）４０の縁に位置する骨組１０は、複数の支柱１１とこれらの支柱１１同士を連結する横架材（手摺笠木１２）からなり、手摺本体を構成している。手摺の正面部は、タイル張りされたＧＲＣパネル３０からなる腰壁パネル部Ａと、格子手摺部Ｂとが混成配置されている。手摺の側面部は、ＧＲＣパネル３０からなる腰壁パネル部Ａで構成されている。
【００４４】
ＧＲＣパネル３０からなる腰壁パネル部Ａでは、パネル３０が、骨組１０の外側に、前述のとおり、横方向に適宜間隔をおいて縦方向に設けられた複数の支持部材２０，２０に、その上側から縦方向に差し込むことによって、支持部材２０，２０に取り付けられ、支持されている。ＧＲＣパネル３０からなる腰壁パネル部Ａの高さｈ１に対し、骨組１０の高さ（手摺笠木１２までの高さ）Ｈは、ｈ２分高く形成されている。すなわち、ＧＲＣパネル３０からなる腰壁パネル部Ａよりも上方に骨組１０の手摺笠木１２が位置している。
【００４５】
正面から見てパネル３０が位置しない骨組１０の面内に、格子が形成されて格子手摺部Ｂを構成している。したがって、この格子手摺部Ｂより外側に、少なくともパネルの厚さ分、腰壁パネル部Ａにおいてパネル３０が張り出して位置するため、パネル部分が浮き出た態様となり、立体感に富む腰壁パネル部を形成することができる。
【００４６】
従来、屋外床（床スラブ）にコンクリートで打設されて一体化された腰壁部と、格子手摺部とを、正面視横方向に混成配置した手摺構造は公知であるが、その施工において、腰壁部のコンクリートを打設すること及び腰壁部と隣り合う格子手摺部との連結・接合作業を必要とする。しかし、本発明によれば、そのような作業は不要となる。また、先ず、格子手摺部Ｂを含む骨組１０を形成しておき、後の工程でＧＲＣパネル３０からなる腰壁パネル部Ａを形成することもできる。このように、ＧＲＣパネルからなる腰壁パネル部と、格子手摺部とを組み合わせて構成した手摺が、簡単に得られ、かつその施工は簡単で作業性に優れ、外観も優れている。
【００４８】
また、ＧＲＣパネル３０からなる腰壁パネル部Ａよりも上方に骨組１０の手摺笠木１２が位置している。従来、屋外床（床スラブ）にコンクリートで打設されて一体化された腰壁部の上辺部に手摺笠木を設ける構成は公知であるが、その施工において、腰壁部を打設すること及びこの腰壁部の上辺部に手摺笠木を連結・接合する作業を必要とする。しかし、本発明によれば、そのような作業は不要となる。また、先ず、格子手摺部Ｂを含む骨組１０を形成しておき、後の工程でＧＲＣパネル３０からなる腰壁パネル部Ａを形成することもできる。
なお、腰壁パネル部Ａの範囲における骨組１０の面内にも、格子を形成してもよい。一旦取り付けたパネル３０を取り外した場合等に、該部を格子手摺部として構成し得る。
【００４９】
以上、本発明の実施の形態を説明したが、本発明は上記の実施の形態に限定されるものではなく、本発明の要旨の範囲で種々の変形、付加等が可能である。
手摺としては、屋外床のバルコニーの他、共用廊下、屋上、踊り場、スロープ、階段等の手摺に適用することができる。また、手摺の他、塀、広告・案内板、垣根等の構造物へ適用することもできる。また、パネルとしては、開口部の無い面材の他、透孔を有するもの、格子状のもの、がらり状のもの等を用いることもできる。建築物の屋内、屋外に配設される、柵状構造物（床面等から立設し、空間を仕切るパネルを有する構造物）に幅広く適用できる。建築物のみならず、橋などの土木構造物にも使用することができる。
【図面の簡単な説明】
【図１】  本発明のパネルの取付構造及び手摺構造を用いた手摺の一例を示す斜視図である。
【図２】  図１の手摺の平面図である。
【図３】  図１の手摺の縦断面図である。
【図４】  支持部材２０のガイド部２３と係合部３３の構成例を示す平面図である。
【図５】  ＧＲＣパネルからなる腰壁パネル部Ａと、格子手摺部Ｂとを組み合わせて構成した屋外床の手摺の例を示すもので、（ａ）は正面図、（ｂ）は側面図、（ｃ）は平面図である。
【図６】  バルコニーの手摺の従来例を示す縦断面図である。
【符号の説明】
１０  骨組
１１  支柱
１２  手摺笠木
１３  横桟
２０  支持部材
２３  ガイド部
２５  パネル押え（押圧保持手段）
３０  パネル
３１  タイル
３３  係合部
３４  凹部
４０  屋外床
【図１】
0004295903.tif 000002
【図２】
0004295903.tif 000003
【図３】
0004295903.tif 000004
【図４】
0004295903.tif 000005
【図５】
0004295903.tif 000006
【図６】
0004295903.tif 000007